(57)【要約】      （修正有）【課題】窓枠に対するクウォーターガラス組付時の倒れ現象を防止する。【解決手段】リアドアの後部に嵌め込まれるクウォーターガラス１１のためのウエザーストリップ１０の構造である。ウエザーストリップ１０のうちパーテイションサッシュ相当部以外の部分では、クウォーターガラス１１をくわえ込む基部１２と、その基部１２と一体に形成されたアウタ側，インナ側のモールリップ１６，１７と、を備える。基部１２の後部にインナサッシュ１５に向かって伸びる位置決めブロック１８を突出形成するとともに、位置決めブロック１８の先端に撓み変形容易なクッションリップ１９を形成する。クッションリップ１９をインナサッシュ１５に圧接させることで、クウォーターガラス１１の後方側への倒れ現象を防止する。【選択図】図４
2018052302.tif 000002
【特許請求の範囲】
【請求項１】
アウタパネルとインナパネルとで形成された窓枠とパーテイションサッシュとで仕切られた空間に嵌め込まれる固定式のクウォーターガラスと、上記パーテイションサッシュを含む窓枠との間に介装されて、車室内外をシールする車両用ドアのクウォーターウエザーストリップであって、
上記パーテイションサッシュに沿う部分を除いた部分では、クウォーターガラスの周縁部をくわえ込む基部と、この基部と一体形成されてアウタパネルおよびインナパネルの周縁部にそれぞれ圧接するアウタ側およびインナ側のモールリップと、を有していて、
上記基部のうちパーテイションサッシュとは反対側に位置する部分の外周面には、インナパネル側に向かって位置決めブロックが突出形成されているとともに、
この位置決めブロックの先端部には、位置決めブロックそれ自体よりも撓み変形容易でインナパネルに当接するクッション部が形成されていることを特徴とする車両用ドアのクウォーターウエザーストリップ。
【請求項２】
上記クッション部は位置決めブロックの厚みよりも薄肉のクッションリップであることを特徴とする請求項１に記載の車両用ドアのクウォーターウエザーストリップ。
【請求項３】
上記位置決めブロックは、クウォーターガラスの延長線上においてそのクウォーターガラスの板厚よりも厚みの大きなものとして形成されていて、
上記位置決めブロックの先端における厚み方向の両端二箇所に、基部の長手方向に沿ってクッションリップが形成されていることを特徴とする請求項２に記載の車両用ドアのクウォーターウエザーストリップ。
【請求項４】
上記位置決めブロックは、クウォーターガラスの延長線上においてそのクウォーターガラスの板厚よりも厚みの大きなものとして形成されていて、
上記位置決めブロックの先端に、その位置決めブロックの厚み方向に延びる複数のクッションリップが基部の長手方向に並んで形成されていることを特徴とする請求項２に記載の車両用ドアのクウォーターウエザーストリップ。
【発明の詳細な説明】
【技術分野】
【０００１】
本発明は、車両用ドアの窓枠とそれに嵌め込まれる固定式のクウォーターガラスとの間に介装されて、車室内外をシールする車両用ドアのクウォーターウエザーストリップに関する。
【背景技術】
【０００２】
この種の車両用ドアのクウォーターウエザーストリップの構造として、例えば特許文献１に記載されたものが提案されている。この特許文献１に記載された構造では、ドア自体の不可避的な製造誤差または組付誤差によりウエザーストリップの上端縁と窓枠との間に隙間が生じ、シールが不十分になりやすいとの観点から、ウエザーストリップの下辺部に凸状部を形成するとともに、窓枠のうちベルトライン（ウエストライン）相当部に上記凸状部に対応する台形状の台座部を形成している。そして、予めウエザーストリップが付帯しているクウォーターガラスを窓枠に組み付ける際に、上記凸状部と台座部とを相対移動させることで、窓枠のベルトライン相当部を基準に窓枠に対してクウォーターガラス全体を押し上げるようにしている。
【０００３】
しかしながら、特許文献１に記載された構造では、窓枠のうちベルトライン相当部であって且つクウォーターガラスの下辺部に相当する部分が水平に近い状態である場合には有効であっても、当該部分が水平にならないドア構造の場合には適用することができない。
【０００４】
クウォーターガラスはリアドアの後部に設定されることが多く、例えば車体全体あるいはリアドアの造形上の観点から、窓枠のベルトライン相当部であって且つクウォーターガラスの下辺部に相当する部分が後方側に向かって上り勾配の傾斜辺部あるいは円弧状辺部として形成されることが往々にしてある。このようなドア構造の場合、特許文献１に記載された構造とは異なり、窓枠内でクウォーターガラスの上部が後方側に向かって傾くいわゆる転び現象が問題となりやすい。その対策として、ウエザーストリップが付帯するクウォーターガラスの位置を規するために、ウエザーストリップの後部側に窓枠と当接可能な突出部を形成し、クウォーターガラスの窓枠への収まりを良くしつつクウォーターガラスのいわゆる転び現象を防止することが一部で試みられている。
【先行技術文献】
【特許文献】
【０００５】
【特許文献１】特開２００８−１２６９６０号公報
【発明の概要】
【発明が解決しようとする課題】
【０００６】
上記のようなクウォーターガラスの転び現象防止に着目したウエザーストリップの構造においては、併せて組付作業性をも考慮して、クウォーターガラスの正規組付状態において、クウォーターガラスの転び現象防止のために設定した突出部と窓枠との間に微小な隙間を確保するようにしている。
【０００７】
ところが、このような構造においても、先に述べたドア自体やウエザーストリップあるいはクウォーターガラスの製造誤差や組付誤差によるばらつきを無視することができない。そのため、特に突出部と窓枠との間に設定した隙間が拡大化する方向にばらつくことがあると、突出部本来の機能が発揮されずに、クウォーターガラスの転び現象の発生を招いてしまうおそれがある。その結果、クウォーターガラスに予め付帯しているウエザーストリップとパーテイションサッシュまたはドアガラスランとの突き合わせ部において隙間が発生しやすく、風漏れや外観不良等を招くおそれがあった。
【０００８】
本発明は、このような従来の課題に着目してなされたものであり、特にクウォーターガラスの組み付けに際して、窓枠内でのクウォーターガラスのいわゆる転び現象を防止し、もってその転び現象に起因する風漏れや外観不良等の二次的不具合を防止するようにした車両用ドアのクウォーターウエザーストリップの構造を提供するものである。
【課題を解決するための手段】
【０００９】
本発明は、アウタパネルとインナパネルとで形成された窓枠とパーテイションサッシュとで仕切られた空間に嵌め込まれる固定式のクウォーターガラスと、上記パーテイションサッシュを含む窓枠との間に介装されて、車室内外をシールする車両用ドアのクウォーターウエザーストリップであることを前提としている。
【００１０】
その上で、上記パーテイションサッシュに沿う部分を除いた部分では、クウォーターガラスの周縁部をくわえ込む基部と、この基部と一体形成されてアウタパネルおよびインナパネルの周縁部にそれぞれ圧接するアウタ側およびインナ側のモールリップと、を有している。さらに、上記基部のうちパーテイションサッシュとは反対側に位置する部分の外周面には、インナパネル側に向かって位置決めブロックが突出形成されているとともに、この位置決めブロックの先端部には、位置決めブロックそれ自体よりも撓み変形容易でインナパネルに当接するクッション部が形成されているものである。
【００１１】
この場合において、請求項２に記載ように、上記クッション部は位置決めブロックの厚みよりも薄肉のクッションリップであることが望ましい。
【００１２】
また、上記位置決めブロックは、窓枠内でのクウォーターガラスの大まかな位置を規制する機能を発揮するものであることから、請求項３に記載のように、上記位置決めブロックは、クウォーターガラスの延長線上においてそのクウォーターガラスの板厚よりも厚みの大きなものとして形成されていて、上記位置決めブロックの先端における厚み方向の両端二箇所に、基部の長手方向に沿ってクッションリップが形成されていることがより望ましい。
【００１３】
あるいは、請求項４に記載のように、上記位置決めブロックは、クウォーターガラスの延長線上においてそのクウォーターガラスの板厚よりも厚みの大きなものとして形成されていて、上記位置決めブロックの先端に、その位置決めブロックの厚み方向に延びる複数のクッションリップが基部の長手方向に並んで形成されていることがより望ましい。
【００１４】
したがって、少なくとも請求項１に記載の発明では、位置決めブロックの先端部に撓み変形容易なクッション部が形成されていることにより、ドア自体等の製造誤差や組付誤差によるばらつきが生じたとしても、所期の目的であるクウォーターガラスの転び現象の発生防止のために、クッション部をアウタパネルに圧接させた状態を維持できる。
【発明の効果】
【００１５】
請求項１，２に記載の発明によれば、ドア自体等の製造誤差や組付誤差によるばらつきが生じたとしても、クッション部を含む位置決めブロックの本来の機能を発揮させて、窓枠に対するクウォーターガラスの組付時のいわゆる転び現象を効果的に防止することができる。
【００１６】
また、位置決めブロックの先端のクッション部は位置決めブロックそのものに比べて撓み変形容易であるため、位置決めブロックとインナパネルとの間の隙間の大きさがばらついたとしても、そのばらつきはクッション部の撓み変形代で吸収することができる。例えば位置決めブロックとインナパネルとの間の隙間が小さくなる方向にばらついたとしても、そのばらつきの度合いに応じてクッション部が柔軟に撓み変形するので、クウォーターガラスの組付性の悪化を招くことがない。
【００１７】
請求項３に記載の発明によれば、位置決めブロックの先端における厚み方向の両端二箇所に、基部の長手方向に沿ってクッションリップが形成されていることにより、二つのクッションリップが位置決めブロックの厚み方向で距離を隔ててインナパネルに圧接するかたちとなる。そのため、基部の長手方向（前後方向）でのクウォーターガラスの転び現象を防止することができることはもちろんのこと、クウォーターガラスの厚み方向での転び現象を防止する上でも有利となる。
【００１８】
請求項４に記載の発明によれば、位置決めブロックの先端に、その位置決めブロックの厚み方向に延びる複数のクッションリップが基部の長手方向に並んで形成されていることにより、基部の長手方向でのクウォーターガラスの転び現象に対して複数のクッションリップが大きな抵抗となり、基部の長手方向でのクウォーターガラスの転び現象を防止する上で一段と有利になる。
【図面の簡単な説明】
【００１９】
【図１】本発明に係るクウォーターウエザーストリップの第１の実施の形態を示す図で、そのクウォーターウエザーストリップが適用される車両用ドアの後部を室外側から見た概略側面図。
【図２】図１のＡ−Ａ線に沿ったパーテイションサッシュの拡大断面図。
【図３】図１のＢ−Ｂ線に沿ったサッシュフレームの拡大断面図。
【図４】（ａ）は図１のＣ−Ｃ線に沿ったサッシュフレームの拡大断面図、同図（ｂ）は同図（ａ）におけるクッションリップの自由状態を示す説明図。
【図５】図１のＤ−Ｄ線に沿ったサッシュフレームの拡大断面図。
【図６】本発明に係るクウォーターウエザーストリップの第２の実施の形態を示す図で、図４の（ａ）と同等部位の拡大断面図。
【図７】（ａ）は図６のＱ方向から見た拡大矢視図、同図（ｂ）は同図（ａ）のクッションリップの自由状態を示す説明図。
【発明を実施するための形態】
【００２０】
図１〜５は本発明に係る車両用ドアのクウォーターウエザーストリップを実施するためのより具体的な第１の形態を示していて、特に図１は例えば４ドアタイプの自動車のうち右側リアドアの後部を室外側から見た概略側面図をを示している。また、図２は図１のＡ−Ａ線に沿ったパーテイションサッシュ７の拡大断面図を示していて、同様に図３〜５は図１のＢ−Ｂ線、Ｃ−Ｃ線およびＤ−Ｄ線に沿ったサッシュフレーム３のそれぞれの拡大断面図を示している。
【００２１】
図１に示すドア１は、ドア本体２とサッシュフレーム（ドアフレームとも称される。）３とが共に共通のドアアウタパネル４とドアインナパネル５とで形成されたいわゆるフルプレスタイプと称されるタイプのものである。ドア１は、図３〜５にも示すように、サッシュフレーム３を形成することになるアウタサッシュ１４と一体成形されたドア外板パネルとしてのドアアウタパネル４と、アウタサッシュ１４とともにサッシュフレーム３を形成することになるインナサッシュ１５と一体成形されたドア内板パネルとしてのドアインナパネル５とを、それらの周縁部にヘミング結合を施して一体化することにより形成されているものである。
【００２２】
ここでは、図１に示すように、ドア１のいわゆるベルトライン（ウエストラインとも称される。）Ｂｅよりも上方側のアーチ状の部分をサッシュフレーム３と称し、ベルトラインＢｅよりも下側であって且つ図示しないドアガラス昇降駆動機構が内蔵される部分をドア本体２と称するものとする。そして、アーチ状のサッシュフレーム３にドア本体２のベルトラインＢｅ相当部を含む部分を窓枠６と称するものとする。
【００２３】
サッシュフレーム３には、車体側のルーフ部に沿うかたちとなる上辺部３Ａと、同じく車体中央部のピラー部に沿うかたちとなる図示を省略した前側縦辺部のほか、車体後側のピラー部に沿うかたちとなる後辺部３Ｂとが含まれている。さらに、サッシュフレーム３の上辺部３Ａとドア本体２のベルトラインＢｅ相当部にまたがるかたちで、パーテイションサッシュ（ディビジョンサッシュまたはディビジョンバーとも称される。）７が掛け渡されるように配置されている。
【００２４】
そして、サッシュフレーム３の上辺部３Ａと図示を省略した前側縦辺部およびパーテイションサッシュ７とで囲まれた領域には、図２に示すようにガラスラン８を介してドアガラス９が昇降可能に案内支持されている。また、サッシュフレーム３のうちパーテイションサッシュ７よりも後方側であって、且つ当該パーテイションサッシュ７とサッシュフレーム３の上辺部３Ａおよび後辺部３Ｂとで囲まれた領域には、図１に示すように、クウォーターウエザーストリップ（以下、単にウエザーストリップと言う。）１０を介して、固定式（いわゆる嵌め殺しタイプ）のクウォーターガラス（パーテイションガラスとも称される。）１１が嵌め込まれている。
【００２５】
なお、図１から明らかなように、車体全体またはドア１自体の造形上の観点から、サッシュフレーム３の後辺部３Ｂのうちクウォーターガラス１１の下辺に相当する部分が車両後方側に向かって比較的急峻な上り勾配にて傾斜している。そのため、その造形に合わせるかたちで、クウォーターガラス１１自体もまたその下辺部が車両後方側に向かって比較的急峻な上り勾配にて傾斜した略変形四角形状をなしている。また、ウエザーストリップ１０はクウォーターガラス１１の周縁部に予め装着されてその周長方向に延びる閉ループ状のものであって、このウエザーストリップ１０が付帯しているクウォーターガラス１１が窓枠６に対して組み付けられることになる。なお、ウエザーストリップ１０は例えばＥＰＤＭその他のゴム系弾性材料にて一体のものとして形成されている。
【００２６】
図３〜５に示すそれぞれの断面においては、ウエザーストリップ１０が、クウォーターガラス１１をくわえ込むための溝部１２ａが形成された基部１２と、この基部１２の室内側および室外側のそれぞれの側面から一体的に突出形成されたアウタ側およびインナ側のモールリップ１６，１７と、を備えている点で互いに共通している。そして、図３〜５に示すように、基部１２がクウォーターガラス１１の周縁部をくわえ込むようにして挟持している状態で、アウタ側およびインナ側のそれぞれのモールリップ１６，１７は基部１２との間にアウタサッシュ１４およびインナサッシュ１５のフランジ部１４ａ，１５ａを挟み込むようにして、アウタサッシュ１４およびインナサッシュ１５に圧接するかたちとなる。これにより、アウタ側およびインナ側のモールリップ１６，１７は、アウタサッシュ１４およびインナサッシュ１５との関係において基部１２に挟持されたクウォーターガラス１１を所定位置に保持し、併せてアウタサッシュ１４およびインナサッシュ１５のフランジ部１４ａ，１５ａを外部から視認できないように隠蔽しつつ加飾効果を発揮するようになっている。
【００２７】
なお、図３，５において、符号１０ａは、アウタ側のモールリップ１６またはインナ側のモールリップ１７の内側面に局部的に形成されたリブを示している。
【００２８】
その一方、図２に示すように、ウエザーストリップ１０のうちパーテイションサッシュ７に沿う部分では、基部１２がパーテイションサッシュ７に嵌合支持されるようになっていて、図３〜５と比較すると明らかなようにその断面形状は微妙に異なるものの、クウォーターガラス１１をくわえ込むための溝部１２ａが形成された基部１２のほか、アウタ側およびインナ側のモールリップ１６，１７がそれぞれに一体的に形成されている点で図３〜５と共通している。
【００２９】
図１のＢ−Ｂ線断面に相当する位置では、図３に示すように、ウエザーストリップ１０のうちサッシュフレーム３の上辺部３Ａに沿う部分では、基部１２の底面側からインナサッシュ１５側に向けてフィン状の仕切りリップ１３が突出形成されている。この仕切りリップ１３は先端側に向かって段階的に肉厚が小さくなるように設定されていて、その先端部が撓み変形しつつインナサッシュ１５に圧接するようになっている。これにより、アウタサッシュ１４とインナサッシュ１５とのなす空間が仕切りリップ１３にて左右の空間に仕切られて、例えば風切り音の発生を抑制するようになっている。
【００３０】
また、図１のＣ−Ｃ線断面に相当する位置、すなわちウエザーストリップ１０のうちパーテイションサッシュ７相当部分とは反対側に位置する部分では、図４の（ａ）に示すように、基部１２の底面側からインナサッシュ１５側に向けて基部１２の厚みよりもわずかに小さい極厚肉状の位置決めブロック１８が突出されている。この位置決めブロック１８は、図４から明らかなように、クウォーターガラス１１の延長線上において当該クウォーターガラス１１の板厚よりも十分に大きな肉厚で、且つその肉厚の例えば２〜３倍程度の長さのものとして、基部１２の長手方向に沿って形成されている。
【００３１】
さらに、クウォーターガラス１１の正規組付状態において、位置決めブロック１８の先端面とインナサッシュ１５との間に例えば数ミリ程度の隙間Ｇが確保されるようになっていて、この隙間Ｇは許容寸法公差よりも大きい値に設定されている。そして、位置決めブロック１８の先端面における厚み方向の両端二箇所に、基部１２の長手方向の全長にわたって、基部１２に比べて極薄肉状のクッション部としてのクッションリップ１９が突出形成されている。
【００３２】
ここで、図４の（ａ）では、クッションリップ１９がインナサッシュ１５に圧接して撓み変形した状態を示しているのに対して、同図（ｂ）はクッションリップ１９がインナサッシュ１５に圧接していないと仮定した場合のいわゆる自由状態を示している。このクッションリップ１９は同図（ｂ）に示ようにす断面形状が略三角形をなしていて、位置決めブロック１８そのもに比べて極薄肉形状であるために、クッションリップ１９は位置決めブロック１８それ自体よりも極端に撓み変形容易となっているとともに、クッションリップ１９自体も薄肉となる先端部ほど撓み変形容易となっている。
【００３３】
より詳しくは、図４の（ｂ）に示すように、位置決めブロック１８の先端の断面略三角形をなす一対のクッションリップ１９は、その外側面が位置決めブロック１８そのものの外側面と面一となっている一方で、互いに対向することになる内側面が外側面とは非平行な傾斜面となっている。これにより、同図（ａ）の状態では、位置決めブロック１８の厚み方向の両端位置に設定したクッションリップ１９が厚み方向の両側に倒れ込むように撓み変形（弾性変形）して、いわゆるソフトタッチのかたちでインナサッシュ１５に圧接している。
【００３４】
ここで、例えば位置決めブロック１８の先端部が位置決めブロック１８そのものの材質よりも極軟質の材料にて軟質層として形成されていても、クッション部としての機能を発揮させることができる。ただし、成形性等を考慮すると上記のようなクッションリップ１９のかたちが実用性の面で望ましい。
【００３５】
なお、図４に示すように、インナサッシュ１５のうちクッションリップ１９が圧接する部分では、基部１２の底面とほぼ平行となるように予め設定されている。また、図３，４から明らかなように、図３に示した仕切りリップ１３と図４に示した位置決めブロック１８とは、基部１２の長手方向で連続していない。さらに、図に示すように、クッションリップ１９が突出形成されている基部１８は、クッションリップ１９が極限まで撓み変形した時にはいわゆる底突きするかたちでインナサッシュ１５に当接することになるものの、基部１８自体の弾性変形を目的としたものではないために、基部１８そのものは極厚肉のブロック状のものとして形成されているものである。
【００３６】
したがって、このようなウエザーストリップ１０の構造によれば、クウォーターガラス１１をドア１に組み付ける場合には、ドアガラス９の組み付け前であって、且つ図１に示す窓枠６にパーテイションサッシュ７が組み付けられていない状態で、予め周囲にウエザーストリップ１０が付帯しているクウォーターガラス１１を、間口の大きなドアガラス９の領域側からドア１の後方側に向けて押し込むようにして組み付けることになる。その際に、アウタ側およびインナ側のモールリップ１６，１７をアウタサッシュ１４およびインナサッシュ１５のフランジ部１４ａ，１５ａの内側に巻き込まないように注意しながらクウォーターガラス１１の組み付けを行うことは言うまでもない。
【００３７】
クウォーターガラス１１をドア１の後方側に向けて押し込むようにして組み付け、そのクウォーターガラス１１が正規組付位置に達すると、やがては位置決めブロック１８の先端のクッションリップ１９が撓み変形しつつインナサッシュ１５に圧接することになるので、クウォーターガラス１１をドア１の後方側に向けて押し込みすぎて、クウォーターガラス１１の前後方向でのいわゆる倒れ現象を招いてしまうことがない。
【００３８】
また、仮にクウォーターガラス１１をドア１の後方側に向けて押し込みすぎた場合には、クッションリップ１９が大きく撓み変形しつつ実質的に位置決めブロック１８が直接インナサッシュ１５に当接するかたちとなり、急激に押し込み抵抗が増大することになる。これにより、作業者はその感触からクウォーターガラス１１の押し込みすぎに直ちに気付いて正規組付位置に戻すことができ、上記と同様にクウォーターガラス１１のいわゆる倒れ現象を招いてしまうことがない。
【００３９】
この後、クウォーターガラス１１の組み付け後に、パーテイションサッシュ７の組み付けや、ドアガラス９の組み付けが行われる。そして、窓枠６に対してクウォーターガラス１１が正しく組み付けられた時には、図１に示すように、クウォーターガラス１１の周囲のウエザーストリップ１０は、パーテイションサッシュ７の上下二箇所において、ドアガラス９を案内支持している図２のガラスラン８と突き合わされることになるが、クウォーターガラス１１の倒れ現象に起因したガラスラン８との突き合わせ部での隙間が発生や、その隙間での風漏れや外観不良等の二次的不具合の発生を未然に防止することができる。
【００４０】
さらに、位置決めブロック１８の先端のクッションリップ１９がインナサッシュ１５に圧接した時には、図４の（ａ）に示すように、位置決めブロック１８の厚み方向の両端のクッションリップ１９が外側に開くようにして圧接するかたちとなる。そのため、一対のクッションリップ１９の撓み変形に伴う圧接抵抗によって、クウォーターガラス１１の前後方向での倒れ現象の防止だけでなく、クウォーターガラス１１の板厚方向での倒れ現象を防止する上でも有利となる。
【００４１】
図６，７は本発明に係る車両用ドアのクウォーターウエザーストリップを実施するための第２の形態を示していて、図６の（ａ）は図４と同等部位の断面図を示している。また、図７の（ａ）は図６のＱ方向から見た拡大矢視図を示していて、さらに、同図（ｂ）は後述するクッションリップ２０の自由状態を示している。これらの図６，７において、先の第１の実施の形態と共通する部分には同一符号を付してある。
【００４２】
この第２の実施の形態では、図６，７に示すように、位置決めブロック１８の先端面おいて、その位置決めブロック１８の厚み方向に延びるクッション部としての極薄肉状で且つ断面略三角形状のクッションリップ２０が、位置決めブロック１８の長手方向に沿って複数個、より望ましくは３個以上並べて形成されているものである。この場合において、クッションリップ２０は位置決めブロック１８それ自体よりも極端に撓み変形容易となっているとともに、クッションリップ２０自体も薄肉となる先端部ほど撓み変形容易となっている点では先の第１の実施の形態のものと同様である。
【００４３】
したがって、この第２の実施の形態によれば、第１の実施の形態と比べて位置決めブロック１８の先端面のクッションリップ２０の向きが異なるだけであるため、先の第１の実施の形態のものと同様の機能が発揮されることになる。
【００４４】
しかも、この第２の実施の形態では、位置決めブロック１８の厚み方向に延びるクッションリップ２０が位置決めブロック１８の長手方向に３個以上並んで形成されているため、特にクウォーターガラス１１の前後方向での転び現象に対する抵抗が一段と大きなものとなり、その前後方向でのクウォーターガラス１１の転び現象を防止する上で一層有利となる。
【符号の説明】
【００４５】
１…ドア
３…サッシュフレーム
４…ドアアウタパネル
５…ドアインナパネル
６…窓枠
７…パーテイションサッシュ
１０…クウォーターウエザーストリップ
１１…クウォーターガラス
１２…基部
１４…アウタサッシュ
１５…インナサッシュ
１６…アウタ側のモールリップ
１７…インナ側のモールリップ
１８…位置決めブロック
１９…クッションリップ（クッション部）
２０…クッションリップ（クッション部）
【図１】
2018052302.tif 000003
【図２】
2018052302.tif 000004
【図３】
2018052302.tif 000005
【図４】
2018052302.tif 000006
【図５】
2018052302.tif 000007
【図６】
2018052302.tif 000008
【図７】
2018052302.tif 000009